(57)【要約】 【課題】  蓄電池の充電中に交流電源プラグが引き抜かれた場合、警告を表示し、且つ、次回の充電において強制的に開始不能とする。【解決手段】  蓄電池１６の充電中に、交流検出回路１７によって交流電力の停止を検出し（Ｓ３否定）、タイマー２９によって所定時間を計測（Ｓ７）した後、充電装置の操作の異常を警告表示部２７ａによって警告した場合（Ｓ９）には、その後に交流電力を検出しても充電装置は作動しないようにした。【選択図】    図２
2006006039.tif 000002
【特許請求の範囲】
【請求項１】
商用交流電源に交流電源プラグを接続して蓄電池の充電を行う充電装置において、
前記商用交流電源から交流電源プラグを介して交流電力を検出する交流電力検出手段と、当該充電装置の操作の異常を警告する警告手段と、
前記蓄電池の充電を制御する制御部の動作をリセットするリセット手段と、
を備えることを特徴とする充電装置。
【請求項２】
前記交流電力検出手段による交流電力の不検出を信号として動作するタイマー、
を備えることを特徴とする請求項１に記載の充電装置。
【請求項３】
商用交流電源に交流電源プラグを接続して蓄電池の充電を行う充電装置の制御方法において、
前記蓄電池の充電中に交流電力の停止を検出してから所定時間経過した後、充電装置の操作の異常を警告した場合には、その後に交流電力を検出しても前記充電装置は作動しない、
ことを特徴とする充電装置の制御方法。
【請求項４】
前記充電装置を制御する制御装置をリセットすることにより、前記充電装置の作動停止を解除する、
ことを特徴とする請求項３に記載の充電装置の制御方法。
【発明の詳細な説明】
【技術分野】
【０００１】
本発明は、バッテリーフォークリフト等の電気自動車の蓄電池を充電する場合に適応され、特に、充電時における安全な取り扱いを促すための充電装置およびその制御方法に関する。
【背景技術】
【０００２】
従来、バッテリーフォークリフトにおいては、夜間に充電するという使用方法が一般的であり、充電は夜間８〜１２時間かけてゆっくりと充電を行っていた。このような充電を行う充電装置は、下記の文献において既に紹介されている。
【特許文献１】実開平５−４８５４４号公報の段落[０００６]〜[０００７]
【特許文献２】特開平８−４５５５５号公報の段落[０００９]
【発明の開示】
【発明が解決しようとする課題】
【０００３】
ところで、従来の充電装置は、充電の終了後、または、充電途中であっても途中終了動作を正常に行ってから、蓄電池を作動させるのが普通であるが、充電を終了させるために、交流電源プラグを引き抜いて停止させるといった誤った取り扱いをする場合があった。この場合、交流電源プラグに火花が発生し、人体に危険を及ぼすばかりでなく、これを頻繁に行うと、交流電源プラグ端子の劣化による発煙・発火事故が発生する可能性が大きくなるという問題を有していた。従来の充電装置においては、このような誤った停止動作を行っても、警告を出す等の手段がなかった。
【０００４】
そこで本発明では、蓄電池の充電中に交流電源プラグが引き抜かれた場合、警告を表示し、且つ、次回の充電において強制的に開始不能とし、使用者に警告を促し適切な充電停止操作を認識させることができる充電装置を提供することを目的とする。
【課題を解決するための手段】
【０００５】
前記目的を達成するために、本発明のうちで請求項１に記載の充電装置は、
商用交流電源に交流電源プラグを接続して蓄電池の充電を行う充電装置において、
前記商用交流電源から交流電源プラグを介して交流電力を検出する交流電力検出手段と、当該充電装置の操作の異常を警告する警告手段と、
前記蓄電池の充電を制御する制御部の動作をリセットするリセット手段と、
を備えることを特徴とする。
【０００６】
また、請求項２に記載発明の充電装置は、請求項1に記載の充電装置に加えて、
前記交流電力検出手段による交流電力の不検出を信号として動作する時間計測手段、
を備えることを特徴とする。
【０００７】
また、請求項３に記載の充電装置の制御方法は、
商用交流電源に交流電源プラグを接続して蓄電池の充電を行う充電装置の制御方法において、
前記蓄電池の充電中に交流電力の停止を検出してから所定時間経過した後、充電装置の操作の異常を警告した場合には、その後に交流電力を検出しても前記充電装置は作動しない、
ことを特徴とする。
【０００８】
また、請求項４に記載の充電装置の制御方法は、請求項３に記載の充電装置の制御方法に加えて、
前記充電装置を制御する制御装置をリセットすることにより、前記充電装置の作動停止を解除する、
ことを特徴とする。
【発明の効果】
【０００９】
本発明の充電装置およびその制御方法によれば、
前記蓄電池の充電中に、前記交流電力検出手段によって交流電力の停止を検出し、時間計測手段によって所定時間を計測した後、充電装置の操作の異常を警告手段によって警告した場合には、その後に交流電力を検出しても前記充電器は作動しないようにしたので、商用交流電力の停電の他、例えば、充電中に前記交流電源プラグが引き抜かれるような操作異常が生じた場合、使用者に警告を与えるとともに、その後の充電装置の操作を容易にできないようにすることによって適切な充電停止操作を認識させることができる。
【００１０】
また、リセット手段（例えばリセット釦）を設けることによって、充電装置の操作停止を解除できることとした。これは、制御装置内の制御基板などに設けられ、通常の操作パネル等、容易に操作できる箇所には設置しないようにすることで、この効果を向上させることができる。また、前記蓄電池の充電中に、前記交流電力検出手段によって交流電力の停止を検出した直後に、充電装置の操作の異常を警告手段によって警告し、その後に交流電力を検出しても前記充電器は作動しないようにしてもよい。この場合、時間計測手段を省くことができる。また、リセット手段として、蓄電池から供給される直流電力を遮断して、制御装置をリセットすることもできる。
【００１１】
以上の発明の充電装置および充電装置の制御方法によって、蓄電池の充電中に交流電源プラグが引き抜かれた場合、警告を表示し、且つ、次回の充電において強制的に開始不能とすることによって、使用者に警告を促し適切な充電停止操作を認識させることができる。
【発明を実施するための最良の形態】
【００１２】
図１に本実施形態の構成を示す。最初に、充電装置の一般的な構成を説明する。交流電源１１、例えば商用電源に対して電源プラグ１２により充電器を接続するようにされており、この電源プラグ１２は電磁開閉器１３を通じて変圧器１４に接続され、変圧器１４によって適当な電圧に通常下げられて、交流電力が整流回路１５に供給され、整流回路１５で直流化された電力が蓄電池１６に供給されて蓄電池１６に対する充電が行われる。この場合、電源プラグ１２より交流電力が入力されると、交流検出回路１７で検出され、これが制御部１８に与えられる。制御部１８はマイクロコンピュータで構成され、その交流電力入力の検知信号が与えられるとインターフェース１９を通じで電磁開閉器１３をオンにして充電の開始が行われる。
【００１３】
蓄電池１６の端子電圧が電圧検出回路２２で検出され、その電圧の状態に応じて制御部１８が充電を制御する。また充電状態がインターフェース１５を通じて表示器２７に与えられ、充電の経過が、例えば発光素子Ｌ1 乃至Ｌ6 の点灯で表示される。更に、普通充電しているか均等充電しているかの表示も行われる。
【００１４】
制御部１８に対しては充電開始スイッチ２３ａによってその充電の開始の制御を行い、また、蓄電池１６よりの電力が電源回路２１を通じて各部に対する動作電源電圧として供給される。蓄電池１６の充電が満了した場合には、自動的に充電を停止する。一方、充電途中であっても、充電停止スイッチ２３ｂをオンすると強制的に充電を停止する。
（実施例）
【００１５】
本実施例では、表示器２７には、操作異常の警告表示部２７ａを設け、充電装置の操作異常を知らせるようにしてある。また、リセット釦２８を制御部１８に接続され、制御部１８のリセットを行うことができる。このリセット釦２８は、制御基板上に設けられているため、操作パネルからは操作できないようにされている。また、制御部１８には、タイマー２９が接続されており、時間を計測することができる。
【００１６】
次に、商用電力の停電時、あるいは、充電中に電源プラグ１２が引き抜かれた場合における充電装置の制御方法について図２を用いて説明する。交流電源１１に電源プラグ１２を接続し（Ｓ１）、充電が開始された（Ｓ２）後、交流検出回路１７によって交流電力を検出しているかどうかを充電中に常時調べ（Ｓ３）、充電が満了すれば（Ｓ４肯定）、充電を終了する。ステップＳ４において充電が満了しなくても、充電停止スイッチ２３ｂをオンすれば強制的に充電終了となる（Ｓ１２）。
【００１７】
一方、ステップＳ３において、商用電力が停電、あるいは、電源プラグ１２が引き抜かれると、交流検出回路１７は、交流を検出できなくなり（Ｓ３否定）、タイマー２９によって時間を計測し始める（Ｓ６）。所定時間内、例えば、１時間以内に交流電力が検出されるかどうかを調べ（Ｓ７）、この間に停電が回復し受電されるか、あるいは、電源プラグ１２が接続されると（Ｓ８肯定）、タイマー２９をリセットし（Ｓ１１）、通常の充電状態に復帰する。通常の停電は、１時間以内に復電するため、本実施例においては、復電までに１時間以上かかる場合、停電ではなく、電源プラグ１２を引き抜く等の操作異常と判断している。
【００１８】
ステップＳ７において、所定時間が経過すると（Ｓ７肯定）、警告表示部２７ａに警告を表示し（Ｓ９）、リセット釦２８がオンされるのを待つ（Ｓ１０否定）。この間、停電が回復するか、電源プラグ１２が接続され、交流電力を受電しても、充電装置の充電は復帰しない。リセット釦がオンされると（Ｓ１０肯定）、制御装置はリセットされ、初期の状態、即ち、充電終了となる（Ｓ１２）。
【００１９】
このようにすることによって、蓄電池１６の充電中に、交流検出回路１７によって交流電力の停止を検出し、タイマー２９によって所定時間を計測した後、充電装置の操作の異常を警告表示部２７ａによって警告した場合には、その後に交流電力を検出しても充電装置は作動しないようにしたので、商用交流電力の停電の他、例えば、充電中に電源プラグ１２が引き抜かれるような操作異常が生じた場合、使用者に警告を与えるとともに、その後の充電装置の操作を容易にできないようにすることによって適切な充電停止操作を認識させることができる。
【００２０】
また、リセット釦２８を設けたことによって、充電装置の操作停止を解除できることとした。これは、制御部１８内の制御基板などに設けられ、通常の操作パネル等、容易に操作できる箇所には設置しないようにすることで、この効果を向上させることができる。
【００２１】
（応用例等）
なお、本発明は上記の実施例に限定するものではなく、本発明の要旨を変更しない範囲で様々な実施が可能である。例えば、蓄電池１６の充電中に、交流検出回路１７によって交流電力の停止を検出した直後に、充電装置の操作の異常を警告表示部２７ａによって警告し、その後に交流電力を検出しても充電装置を作動しないようにしてもよい。この場合、タイマー２９を省くことができる。また、リセット釦に替えて、蓄電池１６から供給される直流電力を遮断するスイッチを別途設けてもよい。
【００２２】
また、本発明の警告手段は警告表示部２７ａに限るものではなく、スピーカを設けて音声警告としても良い。また、時間計測手段は、タイマー２９に限ることはなく、制御部１８に時計を接続して時刻を算出し、制御部１８にて時間を算出しても良い。
【図面の簡単な説明】
【００２３】
【図１】本実施例の充電装置の構成図である。
【図２】本実施例の充電装置の制御方法の手順を示す図である。
【符号の説明】
【００２４】
１１  交流電源、１２  電源プラグ、１３  開閉器、１４  変圧器、１５  整流回路、１６  蓄電池、１７  交流検出回路、１８  制御部、１９  インターフェイス、２１  電源回路、２２  電圧検出回路、２３ａ  充電開始スイッチ、２３ｂ  充電停止スイッチ、２５  インターフェイス、２７  表示器、２７ａ  警告表示部、２８  リセット釦、２９  タイマー。
【図１】
2006006039.tif 000003
【図２】
2006006039.tif 000004